(57)【要約】【目的】焦点検出用フォトダイオードのうち，撮像用フォトダイオードからの信号電荷が混入しているフォトダイオードを見つける。【構成】ＣＣＤには焦点検出用フォトダイオードと撮像用フォトダイオードとが含まれている。フォーカス・レンズを移動する場合，その移動前後において得られる焦点検出用フォトダイオードが得られる焦点検出用信号のピークＰ１およびＰ２を与える焦点検出用フォトダイオードの位置ｘ１は変わらない場合には，その位置ｘ１にある焦点検出用フォトダイオードには撮像用フォトダイオードから信号電荷が混入していると判断される。【選択図】図７
2012189777.tif 000002
【特許請求の範囲】
【請求項１】
一組の焦点検出用光電変換素子が複数組含まれており，かつ多数の撮像用光電変換素子が行方向および列方向に配列されている固体電子撮像素子，
上記固体電子撮像素子の受光面前方において上記固体電子撮像素子の光軸方向に移動自在なフォーカス・レンズ，
上記固体電子撮像素子に含まれている複数組の焦点検出用光電変換素子から得られる焦点検出用信号のピーク位置を，上記フォーカス・レンズの移動前後のそれぞれにおいて検出するピーク位置検出手段，
上記ピーク位置検出手段によって検出された上記フォーカス・レンズの移動前後の焦点検出用信号のピーク位置が上記フォーカス・レンズの移動前後において変化していないかどうかを判定する第１の判定手段，ならびに
上記第１の判定手段によって上記フォーカス・レンズの移動前後の焦点検出用信号のピーク位置が変化していないと判定されたことに応じて，上記ピーク位置検出手段によって検出されたピーク位置に対応する位置にある焦点検出用光電変換素子に撮像用光電変換素子からの電荷が漏れていると判定する第２の判定手段，
を備えた固体電子撮像装置。
【請求項２】
複数の組の焦点検出用光電変換素子のうち上記第２の判定手段において撮像用光電変換素子からの電荷が漏れていると判定された焦点検出用光電変換素子を除く焦点検出用光電変換素子から得られる焦点検出用信号にもとづいて上記フォーカス・レンズを位置決めする合焦制御手段，
をさらに備えた請求項１に記載の固体電子撮像装置。
【請求項３】
上記第２の判定手段による判定が行われたことに応じて，固体電子撮像装置の加速度を検出する加速度検出手段，および
上記加速度検出手段により検出された加速度が所定のしきい値以上であることに応答して，上記ピーク位置検出手段による検出処理，上記第１の判定手段による判定処理，および上記第２の判定手段による判定処理を再度行うように，上記ピーク位置検出手段，上記第１の判定手段および上記第２の判定手段を制御する制御手段，
をさらに備えた請求項１または２に記載の固体電子撮像装置。
【請求項４】
上記第１のフォーカス・レンズの移動前後のそれぞれにおいて固体電子撮像装置のぶれ量を検出するぶれ量検出手段をさらに備え，
上記ピーク位置検出手段は，
上記フォーカス・レンズの移動前に複数の組の焦点検出用光電変換素子から得られる第１の焦点検出用信号と上記フォーカス・レンズの移動後に複数の組の焦点検出用光電変換素子から得られる第２の焦点検出用信号とのうち少なくとも一方の焦点検出用信号を，上記ぶれ量検出手段によって検出されたぶれ量を用いて補正する焦点検出用信号補正手段を備え，
上記焦点検出用信号補正手段によって補正された第１の焦点検出用信号と第２の焦点検出用信号とのそれぞれのピークの位置を検出するものである，
請求項１から３のうち，いずれか一項に記載の固体電子撮像装置。
【請求項５】
上記フォーカス・レンズの移動前に複数の組の焦点検出用光電変換素子から得られる第１の焦点検出用信号および上記フォーカス・レンズの移動後に複数の組の焦点検出用光電変換素子から得られる第２の焦点検出用信号の少なくとも一方の焦点検出用信号と，上記第２の判定手段における判定後に焦点検出用光電変換素子から得られる第３の焦点検出用信号との差分信号を検出する差分信号検出手段，
上記第２の判定手段における判定後に焦点検出用光電変換素子から得られる第３の焦点検出用信号との差分信号を検出する差分信号検出手段，および
上記差分信号検出手段によって検出された差分信号が所定のしきい値以上であることに応答して，上記ピーク位置検出手段による検出処理，上記第１の判定手段による判定処理，および上記第２の判定手段による判定処理を再度行うように，上記ピーク位置検出手段，上記第１の判定手段および上記第２の判定手段を制御する制御手段，
をさらに備えた請求項１，２または４に記載の固体電子撮像装置。
【請求項６】
一組の焦点検出用光電変換素子が複数組含まれており，かつ多数の撮像用光電変換素子が行方向および列方向に配列されている固体電子撮像素子を備えた固体電子撮像装置の動作制御方法において，
フォーカス・レンズが，上記固体電子撮像素子の受光面前方において上記固体電子撮像素子の光軸方向に移動自在であり，
ピーク位置検出手段が，上記固体電子撮像素子に含まれている複数組の焦点検出用光電変換素子から得られる焦点検出用信号のピーク位置を，上記フォーカス・レンズの移動前後のそれぞれにおいて検出し，
第１の判定手段が，上記ピーク位置検出手段によって検出された上記フォーカス・レンズの移動前後の焦点検出用信号のピーク位置が上記フォーカス・レンズの移動前後において変化していないかどうかを判定し，
第２の判定手段が，上記第１の判定手段によって上記フォーカス・レンズの移動前後の焦点検出用信号のピーク位置が変化していないと判定されたことに応じて，上記ピーク位置検出手段によって検出されたピーク位置に対応する位置にある焦点検出用光電変換素子に撮像用光電変換素子からの電荷が漏れていると判定する，
固体電子撮像装置の動作制御方法。
【発明の詳細な説明】
【技術分野】
【０００１】
この発明は，固体電子撮像装置およびその動作制御方法に関する。
【背景技術】
【０００２】
撮像用光電変換素子以外にフォーカス・レンズの位置決めに利用できる焦点検出用光電変換素子が形成されている固体電子撮像素子では，焦点検出用光電変換素子から得られる焦点検出用信号を用いてフォーカス・レンズが合焦位置に位置決めされる。しかしながら，焦点検出用光電変換素子に，撮像用光電変換素子からの電荷が漏れてしまうと，焦点検出用信号を用いてフォーカス・レンズを合焦位置に正確に位置決めすることができない。
【０００３】
そのために，焦点検出用光電変換素子に撮像用光電変換素子からの電荷が漏れているかどうかを焦点検出用光電変換素子に隣接した撮像用光電変換素子の出力が規定以上かどうかにより判定するものがある（特許文献１）。しかしながら，撮像用光電変換素子の飽和量は素子ごとに異なるので，撮像用光電変換素子からの電荷の漏れ量も異なる。単に撮像用光電変換素子の出力が規定以上かどうかで電荷の漏れの有無を判定すると，誤判定となることがある。また，固体電子撮像素子に遮光された光電変換素子を設け，漏れた電荷が遮光された光電変換素子に所定レベル以上混入すると，露光時間を調整するものもある（特許文献２）。しかしながら，固体電子撮像素子に遮光された光電変換素子を設けなければならない。いずれにしても撮像用光電変換素子からの電荷が混入している焦点検出用光電変換素子の位置を正確に検出することはできない。
【先行技術文献】
【特許文献】
【０００４】
【特許文献１】特開2010-154115号公報
【特許文献２】特開平8-76174号公報
【発明の概要】
【０００５】
この発明は，撮像用光電変換素子からの電荷が混入している焦点検出用光電変換素子の位置を正確に検出することを目的とする。
【０００６】
この発明による固体電子撮像装置は，一組の焦点検出用光電変換素子が複数組含まれており，かつ多数の撮像用光電変換素子が行方向および列方向に配列されている固体電子撮像素子，上記固体電子撮像素子の受光面前方において上記固体電子撮像素子の光軸方向に移動自在なフォーカス・レンズ，上記固体電子撮像素子に含まれている複数組の焦点検出用光電変換素子から得られる焦点検出用信号のピーク位置を，上記フォーカス・レンズの移動前後のそれぞれにおいて検出するピーク位置検出手段，上記ピーク位置検出手段によって検出された上記フォーカス・レンズの移動前後の焦点検出用信号のピーク位置が上記フォーカス・レンズの移動前後において変化していないかどうかを判定する第１の判定手段，ならびに上記第１の判定手段によって上記フォーカス・レンズの移動前後の焦点検出用信号のピーク位置が変化していないと判定されたことに応じて，上記ピーク位置検出手段によって検出されたピーク位置に対応する位置にある焦点検出用光電変換素子に撮像用光電変換素子からの電荷が漏れていると判定する第２の判定手段を備えていることを特徴とする。
【０００７】
この発明は，上記固体電子撮像装置に適した動作制御方法も提供している。すなわち，一組の焦点検出用光電変換素子が複数組含まれており，かつ多数の撮像用光電変換素子が行方向および列方向に配列されている固体電子撮像素子を備えた固体電子撮像装置の動作制御方法において，フォーカス・レンズが，上記固体電子撮像素子の受光面前方において上記固体電子撮像素子の光軸方向に移動自在であり，ピーク位置検出手段が，上記固体電子撮像素子に含まれている複数組の焦点検出用光電変換素子から得られる焦点検出用信号のピーク位置を，上記フォーカス・レンズの移動前後のそれぞれにおいて検出し，第１の判定手段が，上記ピーク位置検出手段によって検出された上記フォーカス・レンズの移動前後の焦点検出用信号のピーク位置が上記フォーカス・レンズの移動前後において変化していないかどうかを判定し，第２の判定手段が，上記第１の判定手段によって上記フォーカス・レンズの移動前後の焦点検出用信号のピーク位置が変化していないと判定されたことに応じて，上記ピーク位置検出手段によって検出されたピーク位置に対応する位置にある焦点検出用光電変換素子に撮像用光電変換素子からの電荷が漏れていると判定するものである。
【０００８】
この発明によると，フォーカス・レンズが光軸方向に移動させられ，フォーカス・レンズの移動前後のそれぞれにおいて，複数の組の焦点検出用光電変換素子から得られる焦点検出用信号のピーク位置が検出される。フォーカス・レンズの移動前後の焦点検出用信号のピーク位置が変化していないかどうかが判定される。焦点検出用光電変換素子から得られる焦点検出用信号は，フォーカス・レンズを移動すると，焦点検出用光電変換素子に入射する光量が変わるので，ピーク位置が変わる。これに対して，撮像用光電変換素子から得られる撮像用信号は，フォーカス・レンズを移動してもピーク位置は変わらない。フォーカス・レンズの移動前後で，焦点検出用光電変換素子から得られる焦点検出用光電変換信号のピーク位置が変化していない場合には，撮像用光電変換素子から焦点検出用光電変換素子に電荷が漏れていることを示していることとなる。焦点検出用光電変換信号のピーク位置に対応する焦点検出用光電変換素子に撮像用光電変換素子からの電荷が漏れていると判定される。撮像用光電変換素子から電荷が漏れている焦点検出用光電変換素子の位置が比較的正確にわかる。
【０００９】
複数の組の焦点検出用光電変換素子のうち上記第２の判定手段において撮像用光電変換素子からの電荷が漏れていると判定された焦点検出用光電変換素子を除く焦点検出用光電変換素子から得られる焦点検出用信号にもとづいて上記フォーカス・レンズを位置決めする合焦制御手段をさらに備えてもよい。
【００１０】
上記第２の判定手段による判定が行われたことに応じて，固体電子撮像装置の加速度を検出する加速度検出手段，および上記加速度検出手段により検出された加速度が所定のしきい値以上であることに応答して，上記ピーク位置検出手段による検出処理，上記第１の判定手段による判定処理，および上記第２の判定手段による判定処理を再度行うように，上記ピーク位置検出手段，上記第１の判定手段および上記第２の判定手段を制御する制御手段をさらに備えてもよい。
【００１１】
上記第１のフォーカス・レンズの移動前後のそれぞれにおいて固体電子撮像装置のぶれ量を検出するぶれ量検出手段をさらに備えてもよい。この場合，上記ピーク位置検出手段は，たとえば，上記フォーカス・レンズの移動前に複数の組の焦点検出用光電変換素子から得られる第１の焦点検出用信号と上記フォーカス・レンズの移動後に複数の組の焦点検出用光電変換素子から得られる第２の焦点検出用信号とのうち少なくとも一方の焦点検出用信号を，上記ぶれ量検出手段によって検出されたぶれ量を用いて補正する焦点検出用信号補正手段を備える。そして，上記焦点検出用信号補正手段によって補正された第１の焦点検出用信号と第２の焦点検出用信号とのそれぞれのピークの位置を検出するものとなろう。
【００１２】
上記フォーカス・レンズの移動前に複数の組の焦点検出用光電変換素子から得られる第１の焦点検出用信号および上記フォーカス・レンズの移動後に複数の組の焦点検出用光電変換素子から得られる第２の焦点検出用信号の少なくとも一方の焦点検出用信号と，上記第２の判定手段における判定後に焦点検出用光電変換素子から得られる第３の焦点検出用信号との差分信号を検出する差分信号検出手段，上記第２の判定手段における判定後に焦点検出用光電変換素子から得られる第３の焦点検出用信号との差分信号を検出する差分信号検出手段，および上記差分信号検出手段によって検出された差分信号が所定のしきい値以上であることに応答して，上記ピーク位置検出手段による検出処理，上記第１の判定手段による判定処理，および上記第２の判定手段による判定処理を再度行うように，上記ピーク位置検出手段，上記第１の判定手段および上記第２の判定手段を制御する制御手段をさらに備えてもよい。
【図面の簡単な説明】
【００１３】
【図１】ＣＣＤの受光面を示している。
【図２】（Ａ），（Ｂ）および（Ｃ）は，フォーカス・レンズとＣＣＤの位置関係と，焦点検出用フォトダイオードの出力を示している。
【図３】（Ａ），（Ｂ）および（Ｃ）は，フォーカス・レンズとＣＣＤの位置関係と，焦点検出用フォトダイオードの出力を示している。
【図４】（Ａ），（Ｂ）および（Ｃ）は，フォーカス・レンズとＣＣＤの位置関係と，焦点検出用フォトダイオードの出力を示している。
【図５】焦点検出用信号と焦点検出用フォトダイオードの位置との関係を示している。
【図６】焦点検出用信号と焦点検出用フォトダイオードの位置との関係を示している。
【図７】焦点検出用信号と焦点検出用フォトダイオードの位置との関係を示している。
【図８】ディジタル・カメラの電気的構成を示すブロック図である。
【図９】ディジタル・カメラの処理手順を示すフローチャートである。
【図１０】ディジタル・カメラの処理手順を示すフローチャートである。
【図１１】ディジタル・カメラの処理手順を示すフローチャートである。
【図１２】ディジタル・カメラの処理手順を示すフローチャートである。
【図１３】ディジタル・カメラの処理手順を示すフローチャートである。
【図１４】ディジタル・カメラの処理手順を示すフローチャートである。
【実施例】
【００１４】
図１は，この発明の実施例を示すもので，ＣＣＤ３の受光面を示している。
【００１５】
ＣＣＤ３の受光面には，多数のフォトダイオード１ならびに２Ａおよび２Ｂが設けられている。フォトダイオード１は列方向および行方向に多数配列されている。フォトダイオード１は，撮像用（記録用）フォトダイオード１である。フォトダイオード１に蓄積された信号電荷から得られる映像信号（画像データ）がメモリ・カードに記録される。
【００１６】
第ｎ行に設けられているフォトダイオード２Ａおよび第ｎ＋１行に設けられているフォトダイオード２Ｂは焦点検出用フォトダイオード２Ａおよび２Ｂである。これらのフォトダイオード２Ａおよび２Ｂには，それぞれ遮光領域が形成されている（ハッチングで示されている）。第ｎ（ｎは正の整数）行の焦点検出用フォトダイオード２Ａは，フォトダイオード２Ａの受光領域のうち左側の領域が遮光領域である。第ｎ＋１行の焦点検出用フォトダイオード２Ｂは，フォトダイオード２Ｂの受光領域のうち右側の領域が遮光領域である。一つのフォトダイオード２Ａと一つのフォトダイオード２Ｂとの一組の焦点検出用フォトダイオード２Ａおよび２Ｂが列方向に多数設けられている。焦点検出用フォトダイオード２Ａの遮光領域と焦点検出用フォトダイオード２Ｂの遮光領域とが相対的に異なっているので，ＣＣＤ３の前方において，ＣＣＤ３の光軸方向に移動自在なフォーカス・レンズの位置に応じて焦点検出用フォトダイオード２Ａと２Ｂとに入射する光量が異なる。焦点検出用フォトダイオード２Ａおよび２Ｂに蓄積された信号電荷から得られる焦点検出用信号にもとづいて合焦制御が行われる。
【００１７】
図１においては，多数の焦点検出用フォトダイオード２Ａと２Ｂとの組が列方向に並んでいるが，行方向に並んでいてもよい。
【００１８】
図２（Ａ）は，ＣＣＤ３の受光面前方で結像するときのフォーカス・レンズ４とＣＣＤ３との位置関係を示し，図２（Ｂ）は，焦点検出用フォトダイオード２Ａの出力を示し，図２（Ｃ）は，焦点検出用フォトダイオード２Ｂの出力を示している。同様に，図３（Ａ）は，ＣＣＤ３の受光面において結像するときのフォーカス・レンズ４とＣＣＤ３との位置関係を示し，図３（Ｂ）は，焦点検出用フォトダイオード２Ａの出力を示し，図３（Ｃ）は，焦点検出用フォトダイオード２Ｂの出力を示している。図４（Ａ）は，ＣＣＤ３の受光面公報で結像するときのフォーカス・レンズ４とＣＣＤ３との位置関係を示し，図４（Ｂ）は，焦点検出用フォトダイオード２Ａの出力を示し，図４（Ｃ）は，焦点検出用フォトダイオード２Ｂの出力を示している。
【００１９】
焦点検出用フォトダイオード２Ａと２Ｂとでは，それぞれのフォトダイオード２Ａおよび２Ｂにおける遮光領域の位置が相対的に異なっているので，図２（Ａ）に示すように，ＣＣＤ３の受光面前方で被写体像が結像するときには，焦点検出用フォトダイオード２Ａに入射する光量と焦点検出用フォトダイオード２Ｂに入射する光量とが異なる。このために，図２（Ｂ）に示すように焦点検出用フォトダイオード２Ａの出力ピーク位置と，図２（Ｃ）に示すように焦点検出用フォトダイオード２Ｂの出力ピーク位置とが異なる。これに対して，図３（Ａ）に示すように，ＣＣＤ３の受光面で被写体像が結増するときには焦点検出用フォトダイオード２Ａと２Ｂに入射する光量が等しくなる。このために，図３（Ｂ）に示すように焦点検出用フォトダイオード２Ａの出力ピーク位置と，図３（Ｃ）に示すように焦点検出用フォトダイオード２Ｂの出力ピーク位置とが等しくなる。また，図４（Ａ）に示すように，ＣＣＤ３の受光面後方で被写体像が結増するときにも，図４（Ｂ）に示すように焦点検出用フォトダイオード２Ａの出力ピーク位置と図４（Ｃ）に示すように焦点検出用フォトダイオード２Ｂの出力ピーク位置とが異なる。
【００２０】
フォーカス・レンズ４の位置が異なると焦点検出用フォトダイオード２Ａおよび２Ｂの出力ピーク位置が変化する。
【００２１】
図５は，焦点検出用フォトダイオード２Ａから得られる焦点検出用信号および焦点検出用フォトダイオード２Ｂから得られる焦点検出用信号を示している。
【００２２】
グラフＧ１は，焦点検出用フォトダイオード２Ａから得られる焦点検出用信号を示し，グラフＧ２は，焦点検出用フォトダイオード２Ｂから得られる焦点検出用信号を示している。横軸は焦点検出用フォトダイオード２Ａおよび２Ｂの列方向の位置であり，縦軸は焦点検出用信号のレベルを示している。
【００２３】
図５は，被写体像が合焦していないときの焦点検出用信号の状態であり，フォーカス・レンズ４を光軸方向に移動させることにより，焦点検出用信号を表すグラフＧ１とＧ２とが接近または離間する。これらのグラフＧ１とＧ２とが一致するときのフォーカス・レンズ４の位置が，被写体像が合焦するフォーカス・レンズ４の位置である。
【００２４】
このようにフォーカス・レンズ４の位置に応じて焦点検出用信号を表すグラフＧ１およびＧ２は，図５において左右に移動する。
【００２５】
図６は，焦点検出用フォトダイオード２Ａ（２Ｂでもよい）から得られる焦点検出用信号とＣＣＤ３の焦点検出用フォトダイオード２Ａの列方向の位置との関係を示すもので，焦点検出用フォトダイオード２Ａ（２Ｂ）に撮像用フォトダイオード１からの電荷が漏れていない場合の関係を示している。
【００２６】
焦点検出用フォトダイオード２Ａ（２Ｂ）に撮像用フォトダイオード１からの電荷が漏れていない場合，上述のようにフォーカス・レンズ４を移動させると，その移動前後において焦点検出用信号のピーク値の位置が変わる。たとえば，フォーカス・レンズ４の移動前の焦点検出用信号を示すグラフＧ11のピーク値Ｐ１の列方向の位置が位置ｘ１であったとすると，フォーカス・レンズ４の移動後の焦点検出用信号を示すグラフＧ12のピーク値Ｐ１の位置は位置ｘ２に変わる。
【００２７】
図７は，焦点検出用フォトダイオード２Ａ（２Ｂ）から得られる焦点検出用画素信号とＣＣＤ３の焦点検出用フォトダイオード２Ａ（２Ｂ）の列方向の位置との関係を示すもので，焦点検出用フォトダイオード２Ａ（２Ｂ）に撮像用フォトダイオード１からの電荷が漏れて混入した場合の関係を示している。
【００２８】
焦点検出用フォトダイオード２Ａおよび２Ｂに撮像用フォトダイオード１からの電荷が漏れて混入した場合，焦点検出用フォトダイオード２Ａおよび２Ｂに蓄積される信号電荷が多くなることによりピーク値が変わるが，撮像用フォトダイオード１からの電荷が漏れの影響が大きいので，そのピーク値の位置は変わらない。たとえば，フォーカス・レンズ４の移動前の焦点検出用信号Ｇ21のピーク値がＰ１であり，そのピーク値Ｐ１の列方向の位置がｘ１であり，フォーカス・レンズ４の移動後の焦点検出用信号Ｇ22のピーク値がＰ３であり，そのピーク値Ｐ３の列方向の位置もｘ１となる。
【００２９】
このように，フォーカス・レンズ４の移動前後において焦点検出用信号のピーク値の位置の変化があった場合には，撮像用フォトダイオード１から焦点検出用フォトダイオード２Ａおよび２Ｂへの信号電荷の漏れは無いものと判断される。これに対して，フォーカス・レンズ４の移動前後において焦点検出用信号のピーク値の位置の変化がなかった場合には，そのピーク値の位置において撮像用フォトダイオード１から焦点検出用フォトダイオード２Ａおよび２Ｂへの信号電荷の漏れがあったものと判断される。
【００３０】
図８は，ディジタル・カメラ（ディジタル・スチル・カメラ，ムービ・ディジタル・カメラ，携帯端末にディジタル・カメラの機能を持たせたものも含む）の電気的構成を示すブロック図である。
【００３１】
ディジタル・カメラの全体の動作は，ＣＰＵ10によって統括される。
【００３２】
ディジタル・カメラには，二段ストローク・タイプのシャッタ・レリーズ・ボタン11が含まれている。シャッタ・レリーズ・ボタン11からの第一段階の押し下げを示す信号Ｓ１および第二段階の押し下げを示す信号Ｓ２はＣＰＵ10に入力する。ディジタル・カメラには，撮像モード，再生モードなどのモードを設定するモード設定スイッチ12も設けられている。モード設定スイッチ12において設定されたモードを示す信号もＣＰＵ10に入力する。
【００３３】
ディジタル・カメラには，データ等を記憶するメモリ13，ディジタル・カメラが動かされた場合の加速度を検出する加速度センサ14およびディジタル・カメラのぶれ量を検出するぶれ量センサ15も設けられている。加速度センサ14およびぶれ量センサ15からの出力信号もＣＰＵ10に入力する。
【００３４】
ＣＣＤ３の前方には上述したようにＣＣＤ３の光軸方向に移動自在なフォーカス・レンズ４が配置されている。このフォーカス・レンズ４はフォーカス制御装置16によって位置決めされる。
【００３５】
撮像モードが設定されると，ＣＣＤ３によって被写体が撮像される。上述したようにＣＣＤ３には，撮像用フォトダイオード１ならびに焦点検出用フォトダイオード２Ａおよび２Ｂが含まれている。撮像用フォトダイオード１に蓄積された信号電荷にもとづいて得られる映像信号が被写体像を表す映像信号としてＣＣＤ３から出力される。また，焦点検出用フォトダイオード２Ａおよび２Ｂに蓄積された信号電荷にもとづいて得られる信号が焦点検出用信号としてＣＣＤ３から出力される。もっとも，フォトダイオード２Ａおよび２Ｂから出力された焦点検出用信号も被写体像を表す信号として利用してもよい。
【００３６】
焦点検出用信号は，信号処理回路17からＣＰＵ10に入力し，ＣＰＵ10においてフォーカス・レンズ４によって結像させられる被写体像がＣＣＤ３の受光面上において合焦するようにフォーカス制御量が算出される。算出されたフォーカス制御量にもとづいてフォーカス制御装置16が制御させられる。すると，フォーカス・レンズ４が位置決めさせられて合焦制御される。
【００３７】
ＣＣＤ３から出力された映像信号は，信号処理回路17に入力し，信号処理回路17において，ディジタル／アナログ変換，ガンマ補正，白バランス補正などの所定の信号処理が行われる。信号処理回路17から出力された画像データは，表示制御装置18を介して表示装置19に与えられることにより，被写体像が表示装置19の表示画面に表示される。
【００３８】
後述するように，この実施例では，撮像用フォトダイオード１から漏れた信号電荷が焦点検出用フォトダイオード２Ａおよび２Ｂに混入した場合には，その焦点検出用フォトダイオード２Ａおよび２Ｂが検出される。検出された焦点検出用フォトダイオード２Ａおよび２Ｂに蓄積された信号電荷が利用されずに焦点検出用信号が生成される。比較的正確な焦点検出用信号が得られることとなる。
【００３９】
シャッタ・レリーズ・ボタン11の第一段階の押し下げがあると，第一段階の押し下げを示す信号Ｓ１がＣＰＵ10に入力する。すると，ＣＣＤ３から出力された焦点検出用信号が信号処理回路17に入力し，合焦制御が行われる。
【００４０】
シャッタ・レリーズ・ボタン11の第二段階の押し下げがあると，第二段階の押し下げを
示す信号Ｓ２がＣＰＵ10に入力する。すると，上述のように信号処理装置17から出力され，被写体像を表す画像データは記録制御装置20に入力する。記録制御装置20によって被写体像を表す画像データがメモリ・カード21に記録される。
【００４１】
図９および図10は，ディジタル・カメラの処理手順を示すローチャートである。
【００４２】
フォーカス・レンズ４が所定の位置に位置決めされており，位置決めされている状態で被写体が撮像され，焦点検出用信号（第１の焦点検出信号）が読み出される（ステップ20）。すると，フォーカス・レンズ４が光軸方向に移動させられる（ステップ21）。フォーカス・レンズ４が移動させられた後に，再び焦点検出用信号（第２の焦点検出信号）が読み出される（ステップ22）。このように，フォーカス・レンズが移動させられ，その移動前後において第１の焦点検出用信号と第２の焦点検出用信号とが得られる。
【００４３】
第１の焦点検出用信号からピーク位置（第１回目のピーク位置）が検出され（ステップ23），第２の焦点検出用信号からピーク位置（第２回目のピーク位置）が検出される（ステップ24）。
【００４４】
図７に示したように，第１回目のピーク位置と第２回目のピーク位置とが変化していなければ（ステップ25でＹＥＳ），そのピーク位置にある焦点検出用フォトダイオード２Ａおよび２Ｂには撮像用フォトダイオード１からの信号電荷が混入しているものと決定される（ステップ27）。これに対して，図６に示したように，第１回目のピーク位置と第２回目のピーク位置とが変化していれば（ステップ25でＮＯ），そのピーク位置にある焦点検出用フォトダイオード２Ａおよび２Ｂには撮像用フォトダイオード１からの信号電荷の混入はないもとされる（ステップ26）。ピーク位置の数だけステップ25から27の処理が繰り返される。
【００４５】
図11は，ディジタル・カメラの処理手順の一部を示すフローチャートであり，図９の処理に対応する。
【００４６】
上述のように，第１の焦点検出用信号のピーク位置と第２の焦点検出用信号のピーク位置とが変化しないと（ステップ25でＹＥＳ），そのピーク位置の焦点検出用フォトダイオード２Ａおよび２Ｂは合焦制御には非使用のフォトダイオードと決定される（ステップ32）。これに対して，第１の焦点検出用信号のピーク位置と第２の焦点検出用信号のピーク位置とが変化すれば（ステップ25でＮＯ），そのピーク位置の焦点検出用フォトダイオード２Ａおよび２Ｂは合焦制御に使用するフォトダイオードと決定される（ステップ31）。
【００４７】
シャッタ・レリーズ・ボタン11の第一段階の押し下げがあると（ステップ33でＹＥＳ），ＣＣＤ３から焦点検出用信号が読み出される（ステップ34）。上述のように，焦点検出用フォトダイオード２Ａおよび２Ｂのうち，非使用のフォトダイオードと決定されたフォトダイオードに蓄積された信号電荷は読み出されない（焦点検出用信号には含まれない）のはいうまでもない。読み出された焦点検出用信号を用いて合焦制御が行われる（ステップ35）。撮像用フォトダイオード１から信号電荷が混入している焦点検出用フォトダイオード２Ａおよび２Ｂは使用されていない焦点検出用信号にもとづいて合焦制御が行われるので，比較的正確にフォーカス・レンズ11を位置決めできる。
【００４８】
図12は，さらに他の実施例を示すもので，ディジタル・カメラの処理手順の一部を示すフローチャートである。図12において，図11に示す処理と同一の処理ついては同一符号を付して説明を省略する。
【００４９】
上述のように，ステップ25から32の処理がピーク位置の数だけ繰り返されると，加速度センサ14によってディジタル・スチル・カメラの加速度が検出される（ステップ41）。検出された加速度が所定のしきい値以上あると（ステップ42でＹＥＳ），撮像の対象が変えられたものと判断される。再び，撮像用フォトダイオード１から信号電荷が混入している焦点検出用フォトダイオード２Ａおよび２Ｂの位置を見つけるために最初の処理から繰り返される。
【００５０】
図13は，さらに他の実施例を示すもので，ディジタル・カメラの処理手順を示すフローチャートである。図13に示す処理は，図９に示す処理に対応するもので，図９に示す処理と同一の処理については同一符号を付して説明を省略する。
【００５１】
上述のように，フォーカス・レンズ４の移動前後において第１の焦点検出用信号と第２の焦点検出用信号とが得られると，フォーカス・レンズ４の移動前後におけるぶれ量がぶれ量センサ15により検出される（ステップ51）。もっとも，ぶれ量はＣＣＤ３から得られる映像信号，焦点検出用信号から検出するようにしてもよい。
【００５２】
ぶれ量が得られると，得られたぶれ量を用いて第２の焦点検出用信号（第１の焦点検出用信号でもよい）のぶれ量が補正される（ステップ52）。第１の焦点検出用信号と，ぶれ量が補正された第２の焦点検出用信号とから上述のようにピーク位置の変化の有無などの処理が行われる。第２の焦点検出用信号のぶれ量が補正されているので，比較的正確にピーク位置を検出できる。
【００５３】
図14は，さらに他の実施例を示すもので，ディジタル・カメラの処理手順を示すフローチャートである。図14は，図11に対応するもので，図11に示す処理と同一の処理については同一符号を付して説明を省略する。
【００５４】
上述のように，焦点検出用フォトダイオード２Ａと２Ｂとのうち，合焦制御に使用するフォトダイオードと合焦制御に非使用のフォトダイオードとが決定されると，まず，第２の焦点検出用信号が記憶される（ステップ61）。すると，焦点検出用フォトダイオード２Ａと２Ｂに新たに蓄積された信号電荷にもとづいて得られる焦点検出用信号（第３の焦点検出用信号）がＣＣＤ３から読み出される（ステップ62）。
【００５５】
読み出された第３の焦点検出信号と記憶されている第２の焦点検出用信号との差分値が算出される。算出された差分値が所定のしきい値以上であると（ステップ63でＹＥＳ），撮像対象が変わっていると考えられる。上述したように，ステップ21からの処理が行われる。算出された差分値が所定のしきい値以上でなければ（ステップ63でＮＯ），撮像対象は変わっていないので，得られた焦点検出用信号を用いて合焦制御が行われる。
【符号の説明】
【００５６】
１  撮像用フォトダイオード
２Ａ，２Ｂ  焦点検出用フォトダイオード
３  ＣＣＤ
４  フォーカス・レンズ
10  ＣＰＵ
【図１】
2012189777.tif 000003
【図２】
2012189777.tif 000004
【図３】
2012189777.tif 000005
【図４】
2012189777.tif 000006
【図５】
2012189777.tif 000007
【図６】
2012189777.tif 000008
【図７】
2012189777.tif 000009
【図８】
2012189777.tif 000010
【図９】
2012189777.tif 000011
【図１０】
2012189777.tif 000012
【図１１】
2012189777.tif 000013
【図１２】
2012189777.tif 000014
【図１３】
2012189777.tif 000015
【図１４】
2012189777.tif 000016